(57)【特許請求の範囲】
【請求項１】
第１の部分と第２の部分とを有し、第１の部分と第２の部分は各々それぞれの継手端部において回転継手で回転自在に連結されており、第１の部分と第２の部分は各々外周形状を規定しており、第１の部分と第２の部分は、（ａ）継手が第１の回転位置にあって第１の部分と第２の部分のそれぞれの自由端が対向する関係にあるときに閉じた姿勢を規定して閉じた内部形状を形成し、そして（ｂ）継手が第１の回転位置から回転して離れた第２の回転位置にあるときにフック姿勢を規定し、
前記継手は、継手に所定の回転トルクを加えることにより、第１の回転位置と第２の回転位置の間の運動によって、第１の部分と第２の部分を選択的に両回転位置の各々に維持する割出しアセンブリを有し、
前記割出しアセンブリは、各々軸上に回転自在に位置決めされていて、第１の部分と接続された雄形突出部を有する第１の割出し面と、第２の部分と接続された雌形戻り止めを有する第２の割出し面と、第１の割出し面を第２の割出し面に向かって動くように付勢するばねアセンブリとを含んでおり、ばねアセンブリが圧縮すると第１の割出し面を第２の割出し面から離れるように動かす、
フックアセンブリ。
【請求項２】
第１の回転位置と第２の回転位置の各々は互いから約１８０度回転して離れた、請求項１記載のフックアセンブリ。
【請求項３】
前記第１の割出し面は第１の部分に組み付けられた第１のインサートを有し、前記第２の割出し面は第２の部分に組付けられた第２のインサートを有する、請求項１記載のフックアセンブリ。
【請求項４】
前記ばねアセンブリは、互いにカップ状になるように対に配置された複数の皿ワッシャー（Belleville washer）を有する、請求項１記載のフックアセンブリ。
【請求項５】
前記軸と前記ばねアセンブリは、第１の部分と第２の部分の各々に同心円状に配置されたそれぞれのポケット内に組み付けられている、請求項１記載のフックアセンブリ。
【請求項６】
それぞれのポケットの各々は、第１の部分と第２の部分の隣接する面形状にそれぞれ一致するキャップ面を有するプラグを含む、請求項５記載のフックアセンブリ。
【請求項７】
前記各自由端はそれぞれ弾性チップを有する、請求項１記載のフックアセンブリ。
【請求項８】
各弾性チップは内方に突出して、それぞれの自由端に対して拡張されたフック端部を形成する、請求項７記載のフックアセンブリ。
【請求項９】
第１の部分と第２の部分は各々、閉じた姿勢においてハート形を画定する外周形状を規定する、請求項１記載のフックアセンブリ。
【請求項１０】
第１の部分と第２の部分の各々はハート形の鏡像半部を規定する請求項９記載のフックアセンブリ。
【請求項１１】
第１の部分と第２の部分は各々、閉じた姿勢において多角形状の少なくとも一部を画定する外周形状を規定する、請求項１記載のフックアセンブリ。
【請求項１２】
第１の部分と第２の部分の少なくとも一方は、栓抜きの瓶キャップ係合部を規定するように構成および配置された内周を含む、請求項１記載のフックアセンブリ。
【請求項１３】
第１の部分と第２の部分は各々、閉じた姿勢において円形状の少なくとも一部を画定する外周形状を規定する、請求項１記載のフックアセンブリ。
【請求項１４】
第１の部分と第２の部分の少なくとも一方は、その上に組み付けられて所定の機能を実行するアクセサリー構造を含む、請求項１記載のフックアセンブリ。
【請求項１５】
第１の部分と第２の部分は、閉じた姿勢において手提げバッグのストラップに合うような大きさに形成されて配置された内周を規定する、請求項１記載のフックアセンブリ。
【請求項１６】
第１の部分と第２の部分のそれぞれの自由端は、閉じた姿勢において重なり合う関係にある、請求項１記載のフックアセンブリ。
【請求項１７】
割出しアセンブリは、雄形突出部を有する第１の割出し面と、雌形戻り止めを有する第２の割出し面とを含んでおり、継手は第１の部分と第２の部分の各々に一体的な突起アセンブリおよびこれと合致する一体的な凹部を規定して、該凹部は第１の傾斜面を含み、突起アセンブリは各々の第１の傾斜面と対向する第２の傾斜面を有する少なくとも２個の離間した突起を含み、第１の部分が第２の部分に対して回転すると両部分の間に応力が生じ、この応力は第２の傾斜面が第１の傾斜面上に引き寄せられると突起が互いに向かって撓むことにより運動抵抗される、請求項１記載のフックアセンブリ。
【請求項１８】
第１の部分と第２の部分はポリマー材料から構成されている、請求項１記載のフックアセンブリ。
【請求項１９】
第１の部分と第２の部分とを有し、第１の部分と第２の部分の各々はそれぞれの継手端部において回転継手で回転自在に連結されており、第１の部分と第２の部分は各々外周形状を規定しており、第１の部分と第２の部分は、（ａ）継手が第１の回転位置にあって第１の部分と第２の部分のそれぞれの自由端が対向する関係にあるときに閉じた姿勢を規定し、そして（ｂ）継手が第１の回転位置から回転して離れた第２の回転位置にあるときに開かれた姿勢を規定し、
前記継手は、継手に所定の回転トルクを加えることにより、第１の回転位置と第２の回転位置の間の運動によって第１の部分と第２の部分を両回転位置の間で回転できるようにし、所定の回転トルクより少ないトルクを加えると、第１の部分は第１の位置と第２の位置の各々に移動ロックされ、
第１の部分と第２の部分の少なくとも一方は、その上に組み付けられて所定の機能を実行するアクセサリー構造を含む、
閉鎖可能なアセンブリ。
【請求項２０】
前記継手は、第１の部分と第２の部分を選択的に第１の回転位置と第２の回転位置の各々に維持する割出しアセンブリを含む、請求項１９記載の閉鎖可能なアセンブリ。
【請求項２１】
前記アクセサリー構造は、第１の部分と第２の部分の一方の縁部に取り付けられたアイテム取付けアセンブリを有し、この位置において第１の部分と第２の部分が開かれた姿勢に向けられてＳ字フックを規定するとき、第１の部分と第２の部分の他方は支持面上で取り付けられたアイテムとバランスを保つことができる、請求項１９記載の閉鎖可能なアセンブリ。
【請求項２２】
第１の部分と第２の部分は、閉じた姿勢において手提げバッグのストラップに合うような大きさに形成されて配置された内周を規定する、請求項１９記載の閉鎖可能なアセンブリ。
【発明の詳細な説明】
【技術分野】
【０００１】
本発明は、携帯用ハンドルまたはストラップを有する財布、バッグなどのアイテムで使用するための着脱可能なアクセサリー、より具体的にはバッグなどのための吊り下げフック、ならびに構成要素の姿勢を変更するための可動継手を採用した他のアクセサリーに関する。
【背景技術】
【０００２】
フックとクリップは日常生活で普通に使用されるアイテムである。これらは所望するときにアイテムを一緒に固定できる。これらはまたアイテムを吊下げ面から吊り下げて汚れた床やその他の表面上に置くのを避けることもできる。特に所望されるのは財布、バッグ、その他の手提げ／肩掛け私物をまたはその他の表面から持ち上げておくことである。その理由は、このようなアイテムは貴重な中身を含んでいることがあり、しかも汚れやすく高価な材料で作られていることがあるからである。さらにそのようなアイテムや私物を視線の高さまたはその近傍に保持して、盗まれないようにしっかりと監視できることが所望される。財布、バッグ、その他の私物を持ち上げておくことが特に望ましい具体的な状況は、持ち主がレストランやパブに座っているときである。コート掛けや他の金具は衣服を吊るすのに利用できるが、持ち主は通常バッグまたは財布を身近に置いて置くことを好む。しかしそうするための選択肢は限られている。バッグまたは財布を持ち主の脚の下に置くことができるが、汚れやこぼれた液体が付着することになる。代替としてテーブルやカウンター上面に置くことが邪魔になるし、やはりこぼれた液体や食物で汚れる可能性がある。
【０００３】
より一般的に、多様なアクセサリーは閉鎖構造の恩恵を受けている。例えば固形ブレスレットや固形ネックレスなどは望ましくは着脱を可能にする開かれた姿勢と、装着者に固定される閉じられた位置を許容する。典型的に、これは繊細なヒンジと面倒な留め金を伴い、これらの多くは壊れやすく、そうでなくとも扱いにくい。
【０００４】
したがって、財布、バッグまたはその他の手提げ／肩掛けアイテムを事実上任意の好都合な支持位置に吊り下げることを許容する機構を提供することが望ましい。この機構は使用していないとき簡単に持ち運べ、通常の条件で壊れないように十分頑丈で、魅力的な外観を備えていなければならない。基本的機構のバリエーションは他の機能も実行できなければならず、バッグおよび手提げ／肩掛けアイテムを吊り下げること以外の目的、例えばブレスレットや閉鎖可能な宝飾品として携帯されなければならない。この機構はまた一般に統合された閉鎖およびロックを許容しなければならない。さらに、機構は全体構造を金属、ポリマーなどに限らない多様な材料から構成できるようにしなければならない。
【発明の概要】
【０００５】
本発明は、一般にショルダーストラップまたはハンドストラップを備えた物品を吊り下げ、またはキーなど他のアクセサリーを携帯するために使用されるクリップとフック（クリップ）の組合せ、他の閉鎖可能なアセンブリを提供することによって、先行技術の短所を克服する。これは回転継手を中心にして、クリップ全体構造の互いに反対側の２個の回転連結された部分が一緒に向けられて、衣料アイテムまたは部片（例えばベルト通し）に付いている他のストラップまたはループの周りに固定できる連続的な閉じた形状を形成する第１の位置と、構造の２個の部分が閉じた形状から回転して出て、フック（例えば実質的にＳ字形のフック）に入り、構造の一方の部分はアイテムのストラップを支持し、他方の部分は衣料のフック、椅子の背もたれ、テーブル上面、ドア上面、その他の支持部材に適用され得る第２の位置との間で回転可能である。別の実施態様において閉じた構造は、閉じた姿勢において装着者の手首、足首、首またはその他の身体部分に固定され、開かれた姿勢においてこれらから取り外される装着可能な宝飾品の部片を規定する。例示的な実施態様において、２個の部分の間の継手はばね負荷された、少なくとも２個の割出し位置を有する回転ピボットアセンブリを規定する。第１の割出し位置は両部分を閉じた姿勢に置き、それらの向き合う自由端（継手端部の反対側）は互いに最小限のギャップで対向する関係に入る。第２の割出し位置は２個の部分を閉じた姿勢と約１８０度反対側に向け、それによってフックの形成を可能にする。
【０００６】
例示的な実施態様において、回転継手は通常埋設されたばねアセンブリによって互いに向かって付勢された、１対の対向する雄形楔／突出面と雌形溝／戻り止め面で構成でき、これらはすべて１本の軸上に配置されている。ばねアセンブリは軸シャフト周りに積み重ねて配置された一連の皿ワッシャー（Belleville washer）を含んでいてもよい。軸シャフトは両部分に設けた同心の円筒孔を通って継手端部を貫通し、継手の片側でねじ山によって固定される小ねじを含むことができる。代替として軸は、一方の端部に拡張された頭部を備え、反対側の端部に取外し可能なクリップを備えたシャフトであってもよい。この実施態様における皿ワッシャーは、軸の両側を隣接させて配置できる。各部分における継手の向き合う端部は、隣接クリップ面に対して連続した外面を提供するように形成された外側キャップ面を有する互いに合致するプラグで蓋されてよい。１対の弾性チップは、両部分間の対向ギャップに隣接して、各部分の向き合う自由端の各々に組み付けることができる。これらのチップは、フックの一方の側または他方の側が支持部材に当てがわれたときに追加のフック端部と摩擦面を提供するように形成でき、各々それぞれの端部から内方に突出して拡張されたフック端部を規定できる。
【０００７】
さらに例示的な実施態様において、雄形継手インサートは複数の雄形楔構造を含むことができ、インサートは一方の部分に設けた円形受容凹部内に固定されて、互いに係合する扁平部により当該部分に対して雄形インサートの回転を妨げることができる。反対側のインサートは中空後端部を有することができ、これも向き合う部分の隆起面上の対応する扁平部と係合する扁平部で形成されている。この実施態様では両インサートは円形凹部に完全に着座している。このようにすることにより各々のインサートはそれぞれの部分に対しては回転が妨げられるが、他方の部分に対してはそれぞれ回転できる。こうして一方の部分が他方の戻り止めインサートに対して回転するとき、下に位置するインサートもそれと一緒に回転する。雄形インサートは２個の突出する楔または半球体を含み、雌形戻り止めインサートは２個の溝または受け口からなる。インサート間に加えられたばね付勢力は、所定の回転力を与えることによって克服でき、雄形楔は雌形溝から脱出できる。所望の位置（閉じた姿勢またはフック姿勢）に達すると、楔は溝にぴったり嵌まって係合し、偶然回転しないようにその位置を維持する。
【０００８】
一実施態様において、クリップの閉じた姿勢はハート形またはその他の魅力的な幾何学的形状を規定でき、連結された部分はこの形状の鏡像半部を有することができる。別の実施態様において、１部分または両部分の内側縁部は、栓抜きなど有用な道具またはアクセサリーや、ナプキン入れなど有用な包囲形状を含む、多角形の内周輪郭と外周輪郭の鏡像半部を規定できる。この他にもある回転姿勢では包囲体を生み出し、これと反対の姿勢（典型的に共通面上に位置する各々反対の回転姿勢）ではフックを生み出す円形、楕円形など、本質的に任意の形状が考慮されている。別の実施態様において、アクセサリーの内周のサイズは極めて可変であり、宝飾チェーン、ベルト通しなど比較的小さいアイテムにのみ適合する大きさにすることができる。この小型（または大型）バージョンのクリップは１以上のアクセサリー構造と適合できる。例えばキーチェーンアセンブリまたはコンピュータ用メモリスティックである。アクセサリー構造は一方のクリップ部分の縁部に組み付けて、反対側の部分を支持面に掛けたときに取り付けられたアクセサリーがバランスを保つように配置できる。いずれの実施態様面においてもクリップ構造部分の断面形状は可変であり、表面には多様な装飾的デザインを形成できる。
【０００９】
他の実施態様において、回転ヒンジ連結された全体構造の第１の部分と第２の部分は全部または一部がポリマー材料から形成されることができる。この実施態様では一体的な（共同成形された）継手アセンブリを採用できる。そのような継手は少ない数の部品で組み立てることが容易である。一実施態様において、この一体的構造の継手は、雄形突出部を有する第１の割出し面と、雌形戻り止めを有する第２の割出し面を含む。継手はさらに第１の部分と第２の部分の各々で、それぞれ一体的な突起アセンブリおよびこれと嵌まり合う一体的凹部を規定する。凹部と突起は、緊密に適合された嵌まり合う円筒であり、合致する円錐形端部を備え、この円錐形端部は軸方向運動の制限を促進する一方、突起アセンブリが完全に凹部内に着座すると軸方向回転を許す。凹部は第１の傾斜面を含み、突起アセンブリは各々第１の傾斜面に対向する第２の傾斜面を有する少なくとも２個の離間した突起を含む。このようにすることにより、第１の部分が第２の部分に対して回転すると、雄形突出部が戻り止めを乗り越えて隣接面に進むので、両部分の間に軸方向応力が発生する。この応力は、第２の傾斜面が第１の傾斜面上に引き寄せられると突起が互いに向かって撓むことにより運動抵抗される。この軸方向応力は、雄形突出部が新しい姿勢に回転して再び戻り止め内に着座すると、割出し面を継手で一緒に合わせる。ポリマー材料は、彫刻面や金属仕上げに限らず多様な表面仕上げを提供する様々な材料で被覆できる。
【図面の簡単な説明】
【００１０】
【図１】ハート形輪郭を示す本発明の実施態様に従うクリップとフック（クリップ）を組み合わせた構造の側面図である。
【図２】例示的なハンドバッグのハンドルストラップに固定して示された図１のクリップ構造の斜視図である。
【図３】Ｓ字形フック姿勢に展開された図１のクリップ構造の側面図である。
【図４】例示的なハンドバッグをテーブル上面で支持した図３に示すＳ字形フック姿勢に展開されたクリップの側面図である。
【図５】本発明の例示的な実施態様に従う回転継手アセンブリを示す図１のクリップ構造の分解図である。
【図６】図１のクリップ構造の組み立てられた回転継手アセンブリ部分断面図である。
【図７】図１のクリップ構造の回転継手に使用する雄形継手インサートと雌形継手インサートの斜視図である。
【図８】本発明によるクリップ構造の代替的な実施態様に従う回転継手インサートを含む回転継手の一部露出した分解斜視図である。
【図９】閉じた姿勢で示す本発明の代替的な実施態様に従う六角形／多角形輪郭を規定するクリップ構造の側面図である。
【図１０】Ｓ字形フック構成を形成する開いた姿勢で示された図９のクリップ構造の側面図である。
【図１１】内周を栓抜きアクセサリーとして使用しているところを示す図９のクリップ構造の部分斜視図である。
【図１２】本発明のさらに別の実施態様に従う表面細部を有する多角形クリップを閉じた姿勢で示す側面図である。
【図１３】本発明の別の実施態様に従い、閉じた姿勢におけるキーチェーンまたはコンピュータ用メモリチェーンの形をしたアクセサリー構造を含むように整合された代替的な実施態様に従う円形クリップの側面図である。
【図１４】支持ペグから吊り下がる図１３のクリップ構造を開いた姿勢で示す側面図である。
【図１５Ａ】本発明の代替的な実施態様に従う回転継手を採用したブレスレットを閉じた姿勢で示す斜視図である。
【図１５Ｂ】本発明の代替的な実施態様に従う回転継手を採用したブレスレットを閉じた姿勢で示す平面図である。
【図１５Ｃ】本発明の代替的な実施態様に従う回転継手を採用したブレスレットを閉じた姿勢で示す正面図である。
【図１５Ｄ】本発明の代替的な実施態様に従う回転継手を採用したブレスレットを閉じた姿勢で示す側面図である。
【図１６】図１６は、図１５Ａ〜図１５Ｄのブレスレットを開かれた姿勢で示す側面図である。
【図１７】本発明の代替的な実施態様に従う回転継手を採用したブレスレットまたはフックの部分横断面図である。
【図１８】本発明の代替的な実施態様に従いポリマー材料で作られ、一体的な回転継手を含むクリップ・フック構造の側面図である。
【図１９】一体的な回転継手の構成要素を示す図１８のクリップ・フック構造の分解斜視図である。
【図２０】さらに回転継手の操作要素を示す図１８のクリップ・フック構造の回転継手領域の部分斜視図である。
【図２１】図１８の線２１−２１で切断された図１８のクリップ・フック構造の断面図である。
【図２２Ａ】クリップ・フック構造の代替的な形状および／または閉鎖構成をそれぞれ閉じた姿勢と開いた姿勢で示す側面図である。
【図２２Ｂ】クリップ・フック構造の代替的な形状および／または閉鎖構成をそれぞれ閉じた姿勢と開いた姿勢で示す側面図である。
【図２２Ｃ】クリップ・フック構造の代替的な形状および／または閉鎖構成をそれぞれ閉じた姿勢と開いた姿勢で示す側面図である。
【図２２Ｄ】クリップ・フック構造の代替的な形状および／または閉鎖構成をそれぞれ閉じた姿勢と開いた姿勢で示す側面図である。
【図２２Ｅ】クリップ・フック構造の代替的な形状および／または閉鎖構成をそれぞれ閉じた姿勢と開いた姿勢で示す側面図である。
【図２２Ｆ】クリップ・フック構造の代替的な形状および／または閉鎖構成をそれぞれ閉じた姿勢と開いた姿勢で示す側面図である。
【発明を実施するための形態】
【００１１】
図１は、本発明の例示的な実施態様に従うクリップ・フック構造１００の側面図を示す。明らかな通りクリップ・フック構造１００（本明細書中では「クリップ」とも呼ぶ）は、各々他方の輪郭形状の実質的鏡像を規定する１対の部分１１０および１２０からなる。この実施態様における各部分１１０、１２０は、この実施態様における全体的なハート形輪郭の半部をなしている。各クリップ部分１１０、１２０は、この実施態様における最大幅ＷＨ約５０〜６０ｍｍと、この実施態様における高さＨ約７０〜９０ｍｍを規定している。もちろん代替的な実施態様において実際の幅と高さは極めて可変である。一般に選択された幅と高さは、図示のように閉じたときに、バッグ、手荷物または他の手提げ／肩掛けアイテムのハンドル、ショルダーストラップまたは他の携帯部材を通すのに十分な内側領域１３０を提供する。また、幅ＷＨは、（以下に説明するように）多様な支持面と係合するために十分大きいフック形状を許容する。
【００１２】
各部分１１０および１２０の上側（自由）端部１４０および１４２は、弾性インサート１４４および１４６を含む。このインサートは各端部１４０および１４２内に形成されたスロットまたはキー溝によって固定できる。各部分１１０および１２０の本体は、様々な仕上げ面を施した多様な材料で作ることができる。一実施態様において、部分１１０および１２０はステンレス鋼から作られ、艶消し仕上げまたは光沢仕上げを施す。代替的な実施態様において、部分１１０および１２０は全部または一部中空であってもよい。代替として、以下に記載する機能を実行するのに十分な保持強度を提供する限り、耐久性プラスチックまたは他の材料を採用できる。金属から形成されるときは、一実施態様において慣用的な鋳造技術を採用できる。上側／自由端１４０および１４２は両端部間に小さいギャップ１５０を規定した。この実施態様では両端部は互いに連結されておらず、何らかの留め金または他の機構は設けられていない。以下に説明するように、代替的な実施態様において自由端が不注意に回転して閉じた姿勢から出るのを防ぐために留め金またはロック機構を提供できる。
【００１３】
図２に示すように、クリップ１００は（図１に示すような）閉じた姿勢で慣用的なハンドバッグ２２０の携帯用ハンドル２１０の周りに取り付けて持ち運びできる。この姿勢では、それは比較的目立たず、バッグ２２０に装飾的アクセントを与えている。代替的な構成において、クリップ１００は、一般にクリップが不注意に外れるのを防ぐためにベルト通し、ショルダーストラップまたは他の閉じた構造もしくはストラップ構造に取り付けて持ち運びできる。ギャップ１５０は、ハンドル２１０または他の携帯部材がすり抜けるのを防ぐために十分狭くなっている（例えば数ミリメートル以下）。
【００１４】
再び図１について見ると、本発明の一実施態様に従い、部分１１０と１２０の向き合う端部１６０および１６２は、それぞれ回転継手１７０と埋設された割出しアセンブリによって連結されている。この割出しアセンブリについては以下に詳しく説明する。一般に割出しアセンブリは、両部分が図１に示すように閉じた姿勢に維持され、または適当な角度もしくは回転トルクを適用して１８０度位置に回転させＳ字形フックを形成するのを許す。
【００１５】
次に図３について見ると、クリップ１００の部分１１０、１２０は回転継手１７０で、図１の閉じたハート形の姿勢からＳ字形フック姿勢に１８０度回転している（両矢曲線３１０）。その結果生じるフックは、弾性チップ１４４まで延びた上側アーチを有する内周３３０を規定する上側部分１１０を示している。この上側アーチ３３０は、上側端部を何らかの許容可能な支持面、例えば衣料フック、衣料ハンガー、椅子の背もたれ、ドアまたは浴室区画の上面、壁のペグ／釘、またはテーブル／カウンター上面に、自在に滑らないように掛けることを可能にする。部分１２０で表されたフックの低い方の端部は、チップ１４６より下方に突き出た内周３４０を含んでいる。内周３４０はこれにより、何らかの許容可能な携帯ハンドルまたは他のループ状構造と係合し、携帯ハンドル／ストラップが滑り落ちるのを防ぐことができる下側フックアーチを提供する。同様に、突出した弾性チップは、フックを与えられた支持面に固定するのを助ける拡張されたフック端部を規定する。
【００１６】
こうして図４に従い、クリップ１００は図３のＳ字形フック姿勢に回転すると、バッグ２２０の図示された携帯用ハンドル２１０を下側フック端部（部分１２０）で支持できると同時に、上側フック端部（部分１１０）は摩擦チップ１４４でテーブル上面４１２の縁部４１０と係合して上面４１２に支持される。フックはバッグをテーブル上面にある程度しっかり維持する。なぜならば各内周ループ３３０、３４０の先端部は重力に対して垂直線４３０上にあるからである。部分１１０および１２０の回転継手１７０に隣接する部分４４０および４５０は、垂直線４３０に対してほぼ鋭角の余角を通る直線上に延びていることに留意されたい。この構成により、向き合う内周輪２１０および２２０は、図示されているように互いに垂直線上に位置することが可能となる。こうしてバッグはテーブル縁部の下方で適切なバランスを保つと同時に、フックはテーブル上面と係合してバランスを保つ。ここに記載する種々の実施態様において、クリップの２個の部分は、２様の反対の姿勢（閉じた姿勢と開いた姿勢／Ｓ字形フック）において実質的に共通面上に留まり、バランスを保つのを助けていることに留意されたい。代替的な実施態様において、２個（またはそれ以上）の部分はより複雑な３次元形状で形成できる。この形状は共通面から逸脱するが、同様に実質的に閉じた姿勢と、吊り下げたアイテムを支持面に対して効果的にバランスさせるフックを可能にする。
【００１７】
クリップの上側フック端部（部分１１０）は何らかの許容可能な支持部材に固定できる一方、その下方ではバッグまたはその他の私物をしっかり支えていることは明白であろう。そのような支持部材は衣料ハンガー、コート掛け、ペグ、椅子の背もたれ、ハンドルバー、自動車のハンドグリップ、ドアノブを含むが、これらに限らない。また、代替的な実施態様において部分は全体形状を非対称的に分割でき、および／または全体形状は非対称的であってもよいことにも留意されたい。こうして「部分」という言葉は広く解して、回転継手に対するクリップの全体的な幾何学形状の任意の分割を含むべきである。さらに、追加の継手を提供して、クリップ全体の３個以上の部分を作り出し、各々クリップ形状を複数の異なる構成に変形できるようにすることが可能である。
【００１８】
次に、回転ヒンジ１７０の割出しアセンブリをさらに詳細に示す図５〜図７を参照する。上述したように、回転継手１７０は２個の直径方向反対（１８０度）のロック位置を提供し、各々のロック位置は使用者が回転継手１７０で部分１１０、１２０間に適当な大きさの回転トルクを加えることによって選択できる。一方のロック位置は図１に示すように閉じた姿勢を生み出し、他方のロック位置は図３に示すように例示的なＳ字形フック姿勢を生み出す。それぞれの部分１１０および１２０の向き合う継手端部１６０と１６２は、１対の割出しインサート５１０および５２０の各々を固定するように整合されている。インサート５１０と５２０は互いに係合するように整合されている。インサート５１０は半径方向に配置された１対の雄形楔（突出部）７１０を含み、反対側のインサート５２０は１対の対向する雌形溝（戻り止め）７２０を含んでいる。この実施態様では、継手端部１６０は重ね合わせた状態でインサート５１０と５２０の両方を収容するのに十分深い円筒形凹部または開口部５３０有している。この実施態様では凹部５３０の内径ＤＤは約８〜９ミリメートルである。各割出しインサート５１０、５２０の外径ＤＩは凹部直径ＤＤに等しいか、それより小さいので、インサート５１０と５２０は長手方向／半径方向の遊びがほとんどなく凹部５３０内に収容できる。雄形／楔インサート５１０は凹部５３０の内側の扁平部／ショルダー５４０と係合するように整合された１対の後方に突出する扁平部７４０を含んでいる。同様に、反対側の継手端部１６２はわずかに隆起した基部５５０を含んでおり、これは雌形／溝インサート５２０の中空後部内の対応する扁平部７５０（図７に仮想的に示されている）と係合するように整合された扁平部を備える。インサート扁平部７４０および７５０はそれぞれの端部１６０および１６２と係合し、それによってインサート５１０および５２０が（それぞれ）部分１１０および１２０に対して回転するのを制限する。こうして使用者が部分１１０を継手１７０で部分１２０に対して回転させると、インサート５１０および５２０は同様に互いに対して回転する。
【００１９】
図示されているように、突出部または楔７１０およびこれと合致する戻り止めまたは溝７２０は、それぞれ外方と内方に約０．３〜０．４ミリメートル突出している。各インサートの全体的な深さは約１〜３ミリメートルである。この寸法は極めて可変である。インサート５１０、５２０は、楔７１０が雌形／溝インサート５２０の表面を擦り、また雌形インサートの外面が凹部５３０の金属面を擦ることによって生み出される摩擦と摩耗を低減できる耐久性材料から作られている。この材料は、ポリオキシメチレン（ＰＯＭ）など高性能ポリマーであってよい。他の材料も明確に考慮される。図７に示すように、楔７１０と溝もしくは戻り止め７２０は半径方向外方に広がっている。代替的な実施態様において多様な幾何学形状を使用できる。代替的な実施態様では、雄形および雌形割出し要素は図示された角型形状を呈する代わりに、丸みを帯びていてもよい（例えば図８参照）。
【００２０】
各部分１１０と１２０の端部１６０および１６２に隣接する外壁は、それぞれ外方に面している１対の同心的なポケット５６０および５６２を規定する。ポケット５６０、５６２は、継手のばね軸アセンブリを挿入できる貫通孔を提供する。この実施態様では、継手の軸は細長い円筒形胴部５７２と直径がより小さいねじ山端部５７４とを有する機械加工されたねじ５７０である。この実施態様では一連のカップ状の鋼製皿ワッシャー５７６がばねアセンブリを提供する。代替的な実施態様において慣用的な圧縮コイルばねを（他のタイプのばねと並んで）採用できることに留意されたい。ワッシャー５７６は（部分１２０の）ポケット５６２内に形成された外側の円筒形凹部６３０の内部に着座している。ワッシャー５７６は軸ねじ５７０の円筒シャフト５７２部分の周りに嵌め込まれている。図示されているように、ワッシャー５７６は互いに向き合ってカップ状になるように向けられており、それによって図示されているように３個の離散的な圧縮ばね部材を提供する。
【００２１】
この実施態様では、このばね形状を作り出すために６個のワッシャーが採用されている。代替的な実施態様において、異なるばね力を生み出すために、ワッシャーの数をワッシャーの厚さおよび／またはばね定数と共に変えることができる。軸ねじの頭部５８０は直径がワッシャー５７６の内径よりわずかに大きく、これにより頭部６８０はワッシャーを円筒形凹部６３０内の狭くされたショルダー６４０に対して保持することが可能である。軸ねじ５７０のねじ山端部５７４は、部分１１０の反対側端部１６０内のねじ切り壁６５０内に締め込まれている。軸ねじ５７０の円筒形シャフト部５７２の前方肩部５８２は、２個の継手端部１６０と１６２との間に残るギャップ６６０を設定および維持するのを助ける。ワッシャー５７６は締め付けられるとばね圧縮されて継手を維持する。しかしながら、ワッシャーを圧縮する十分な余地がまだあるので、インサート楔７１０は溝７２０を乗り越えることができる。ギャップ６６０は比較的小さく、両部分間の遊びを防ぐ。ねじ頭部５８０は適切なトルクに締め付けることを可能にするために、フィリップス形またはその他の適切な頭部形状を有することができる。例示的な実施態様において、軸ねじ５７０は低摩擦表面仕上げ（例えばニッケルめっき）を施した鋼などの硬質金属から作られている。軸ねじ５７０の直径は約３〜５ミリメートルであってもよい。
【００２２】
ポケット５６０、５６２はそれぞれプレス嵌めプラグ５６４、５６６によって蓋される。プラグ５６４、５６６は、それぞれ包囲する部分１１０、１２０の輪郭面と合致する外側キャップ面５６８、５６９を含んでいる。このようにすると、各キャップ面５６８、５６９に適切な表面被覆またはめっきを提供でき、包囲する表面仕上げと視覚的に調和する。一実施態様において、プラグ５６２、５６４はＡＢＳプラスチックから作られている。これらはそれぞれのポケット内に摩擦嵌めおよび／または適切な接着剤で固定できる。
【００２３】
操作時に、２個の部分１１０と１２０に十分な回転トルクを加えて部分１１０とそのインサート５１０を部分１２０とインサート５２０に対して回転させると、楔７１０は溝７２０を越え出て、それによりねじを矢印６８０の方向に動かす。この運動はばねワッシャー５７６の圧縮を引き起こす。楔７１０はインサート５２０の中間の溝のない平坦面７６０に沿って滑動して、再び溝構成７２０に行き着く。このとき両部分は最初の位置から１８０度回転している。ワッシャーのばね偏倚により楔７１０は溝内に押し入れられて、継手１７０により多くの回転トルクが加えられるまでそこに保持される。
【００２４】
さらに図５を参照して、各端部１４０および１４２は、それぞれキー構造５９４および５９６を各弾性チップ１４４および１４６に受容するそれぞれのキー溝５９０と５９２をそれぞれ含んでいることに留意されたい。チップは本発明の種々の実施態様に従いロック部材、接着剤、または他の任意の許容可能な技術で固定できる。チップを形成する許容可能な材料は、熱可塑性エラスタマーＴＰＥである。その他の材料も明確に考慮される。チップのサイズおよび形状は極めて可変であり、代替的な実施態様ではより長くすることができる。
【００２５】
図８は、本発明の代替的な実施態様に従う回転継手アセンブリ８１０を示す。構造の部分８２０と８３０は、上で一般的に説明したように閉じた姿勢と１８０度反対のフック姿勢を交互に規定する周形状を有していると想定できる。この実施態様では、各部分８２０および８３０の断面はややくびれた（８の字）形状を規定する。この形状は各端部がインサート８４０および８５０を向き合う８の字形の凹部に受容することを可能にする。凹部が非円形であることにより、インサートがいったん着座するとそれぞれの部分に対して回転することが妨げられる。インサート８４０は１対の戻り止めもしくは孔８６０を含んでおり、これらは反対側のインサート８５０内の１対の隆起した半球体８７０と向き合っている。ねじ山端部８８２を有する軸ねじ８８０が、上述されたものと同様に設けられている。ねじは、一連の皿ワッシャー８８６または他の許容可能なばねアセンブリも収容する円筒形受け口８８４を通って進入する。ねじ山端部８８２は部分８２０の端部に設けられた一連のねじ山８８８によって受容される。代替的な実施態様において図１のクリップは、（一方の端部に両インサート５１０、５２０を受容する唯一の凹部５３０を設けるのではなく）図８の要領でそれぞれのインサート受容凹部と、それぞれ反対側の対応する継手端部に位置するインサートとを備えることができることに留意されたい
【００２６】
次に図９〜図１１を参照するが、これらは本発明に従うクリップとフックを組み合わせた構造９００のより「男らしい」バージョンを示している。図９に示すように、クリップ９００は１対の部分９１０および９２０を含んでおり、これらは共同で図示された閉じた姿勢において全体的な六角形を規定する。内周と外周は各々多角形のセグメントもしくは辺に沿って実質的に直線的であり、わずかに丸みを帯びた角部９３０および９３２によって分離されている。底部の回転継手９４０は、図１〜図８の実施態様に関して一般的に上述した要領で両部分が互いに対して回転するのを可能にする。反対側のギャップ９５０は、各部分９１０および９２０の頂部のそれぞれの自由端９６０および９６２に設けられている。クリップ９００は任意の耐久性材料、例えばステンレス鋼から鋳造、機械加工またはその他の許容可能な技術を用いて作ることができる。継手９４０は上記のばね負荷された割出し回転継手と同様に作られており、部分９１０と９２０の間に所定のトルクを加えることによって同様の仕方で操作されると想定されるべきである。頂部の自由端９６０および９６２は各々内側の弾性突出部９７０および９７２を付けている。これらの突出部は上述したようにテーブル面と係合するときに各々摩擦部材として作用して、フック（図１０）が支持部材から滑り落ちるのを防ぐフック端部を提供する。
【００２７】
明らかであるが、自由端９６２はロック機構として作用する上側延長部９８０を有することができる。すなわち、延長部９８０は上方に突出して、使用者の指または親指で到達可能である。これは合致するスロット内で後方に（矢印９８２）動かして、反対側の自由端９６０内に形成された反対側のスロット９８４との係合から取り出すことができる。延長部は回転軸上のばね負荷された金属部材、また弾性突出部９７０の弾性延長部であってもよい。継手９４０の割出し機能が図９に示す閉じた姿勢と図１０に示す１８０度反対の姿勢との間で運動を可能にするので、ロック機構９８２は随意である。上述したように、クリップ９００がＳ字形フックを形成する、図１０に示された反対の姿勢は、２個の部分９１０と９２０の間にトルクを加え、両部分を互いに対して回転させて（両矢１０１０）、フックが最終位置に達すると触角的クリックが感じられることによって規定される。
【００２８】
代替的な実施態様において、自由端はロック機構として磁力で吸引する構造（図示せず）を含むことができる。そのような構造は、２個の連結された部分を解除するために自由端は追加のトルクを必要とすることを保証する。ここに記載したように、自由端と関連した「ロック機構」という用語は、そのような機械的構成と磁石構成を含むものとする。
【００２９】
図１１を参照して、例示的なクリップ９００は、追加されたアクセサリーとして特定の仕事を実行することを可能にする内周形状を有する。図示されているように、慣用的な王冠１１１２を付けた瓶１１１０が、部分９１０の中心多角形セグメント１１２０で内周に挿入されている。セグメント１１２０の内側面（および潜在的に反対側の内側面１１３０）は図示された瓶のキャップと係合する形状およびサイズで形成されている。辺１１２０の内角（９３０）は慣用的な瓶の端部とキャップの特定の直径に対して適切なクリアランスを提供するようにサイズ設計されている。こうして、瓶を開けるための標準的な動きを加えることにより、クリップ９００は王冠１１１２を取り外すことができる。他の多様な道具および／またはアクセサリー（以下に説明する）、例えば小型ねじまわし、爪切り、ナイフの刃などを形成でき、またはクリップの種々のセグメントに挿入できることは明白であろう。このスタイルとタイプのクリップは閉じた姿勢でベルト通しに装着し、バッグや書類カバンに載せ、またはクーラーに取り付けるなどして携帯できる。
【００３０】
さらに図１２に示すような多角形クリップの実施態様に関して、いかなるクリップも当該クリップのスタイルと目的に適った装飾的表面形状を備えることができる。図１２に示すように、上述したクリップに機能と構造が類似しているクリップ１２００は、各部分の各セグメント内に一連の機械加工された貫通孔や深い切れ込み１２１０、１２２０、１２３０を含む。継手１２４０に隣接した低い方のセクションは、回転継手のばねおよびねじ軸機構を収容する充填区域１２５０を含んでいる。
【００３１】
ここに記載されたいかなるクリップも衣料アクセサリーや機能的宝飾品の部片など多様な役割で使用できることが明確に考慮される。したがってクリップ部分のサイズや、その結果生じるクリップ内周の包囲された面積は種々の実施態様に応じて極めて可変である。特定の実施態様において、クリップはネックレスや、バッグまたは財布ストラップより小さいアイテム（例えばベルト通し）に装着するサイズに設計できる。図１３および図１４を参照すると、これらは内径ＤＣが１インチ前後の円周形状（この他にも可能な無数の形状が考慮される）で形成されたアクセサリークリップ１３００を示している。このような形状とサイズはネックチェーン（例えば例示的なチェーン１３０２）、ボタン穴またはベルト通し（およびその他の箇所）に装着するのに適している。
【００３２】
この実施態様は、２個の端部１３３０、１３３２を連結する回転継手１３２０を備えて再び鏡像半部（半円形）を規定する１対の向き合う部分１３１０、１３１２と、反対側でクリップが閉じた姿勢（図１３）において宝飾チェーンなどの支持アイテムから抜け落ちるのを防ぐ最小限のギャップで対向する１対の連結されていない端部１３４０、１３４２とを含んでいる。図９に示すように、２個の自由端１３４０と１３４２との間にロック部材が随意に設けられてよい。回転継手１３２０は割出しアセンブリを含んでも、含まなくてもよい。割出しは図１〜図８の実施態様において上述したものより小さいバージョンとして構成できる。継手１３２０は、向き合う部分１３１０、１３１２が軸心（破線１３７０）を中心に、図１３の閉じた姿勢と図１４に示すＳ字形フック姿勢との間で回転することを可能にする。軸（および該当する場合はばねアセンブリ）は、上述した要領でプラグ１３８０、１８８２によって覆われた外側空洞を通して挿入できる。２個の半部を回転可能に取り付けるために、クリップ構造に片方または両方の外側空洞を形成することを必要としない他の機構（例えばスナップ嵌め）も使用できる。角自由端１３４０、１３４２上の弾性チップ１３５０、１３５２はそれぞれ半径方向に内方に拡張されて強化されたフック面を提供し、それにより図１４に示すようにクリップ１３００がフック形状に展開されて支持面（ペグ１４１０）から吊り下がるときに一層の安定性を提供する。
【００３３】
明らかな通りこの実施態様は追加のアクセサリー構造を含んでいる。この構造は部分１３１０の外面／外周にはんだ付け／溶接（または他の仕方で接合）されたループ１３９０が組み付けられている。この実施態様におけるループ１３９０は、例示的なキー１３９４を付けたキーリング１３９２を支持する。ループ１３９０を介して他の多様なアイテム、例えば例示的なコンピュータ用メモリスティック１３９６（仮想的に示されている）を取り付けることができる。このようにここで用いる「アクセサリー構造」という用語は、広く他のアイテムをクリップと相互接続することを可能にするために取り付ける多様な構造を含むものと解されるべきである。この実施態様におけるアクセサリー構造／ループ１３９０は部分１３４０の外周で、取り付けられたアクセサリー（キー１３９４）が図示されたＳ字形フック姿勢において部分１３１２の上側アーチを通る重力と平行な垂直線（破線１４２０）に沿って吊り下げる位置に配置されている。こうしてアクセサリーは、支持面（例示的なペグ１４１０）に取り付けたときにフックのバランスを保つように位置決めされている。ループ１３９０（または他のアクセサリー構造）が１種類以上のアクセサリーを取り付けるために使用できることは明白であろう。このような可能なアクセサリーは、携帯電話、個人情報端末（ＰＤＡ）、唐辛子スプレー缶、懐中電灯、鉛筆削り、爪切りおよび／または化粧用品などを含むが、これらに限らない。
【００３４】
図示されたクリップ１３００（および／またはここで考慮および記載される他のクリップ）は、一方の部分に直接アクセサリーを取り付けると同時に、他方の部分は支持面から吊り下がるように使用できることも考慮されていることに留意されたい。例えば使用者はフックを広げてシャワー室のペグに掛け、シャワーを浴びている間、反対側の部分に宝飾品や時計などを吊るすことができる。上述したようにより大きいサイズのクリップはジムバッグに付けて持ち運び、ロッカーで衣料を吊るしたり、シャワーを浴びている間、シャワーカーテンロッドからタオルを吊り下げたりするのに使用できる。
【００３５】
上述したようにクリップ・フック構造は代替として宝飾品および他の開閉可能なアイテムに組み入れることができる。例示的な実施態様において図１５Ａは説明のためのブレスレット１５００の斜視図を閉じた姿勢で示しているが、これはねじることによって開いたＳ字形フック構成に転換できる。ブレスレット１５０２の本体は手首や足首を包囲するように整えられており、一方の自由端にＪ形カーブ１５０４を有している。ブレスレット１５００は十分な回転トルクを加えて操作される回転継手１５０６を有する。ブレスレット１５００は金属、例えば金めっき合金、銀めっき合金、プラチナめっき合金、または強度と装着者に心地よさを提供する他の金属からなる。ブレスレットの表面は多様な刻み込みまたはエンボスデザインで装飾でき、種々のタイプの宝石やその組合せで飾ることができる。る。例示的なブレスレットの全体形状は、図１５Ａに閉じた姿勢で図示されている。ブレスレットは一般に、一方の自由端に規定されたＪ形カーブ１５０４と共通の平面内にある（「共平面的」）。ブレスレットは共平面的であり、自由端が互いに対向して閉鎖状態を形成する。しかしながらＪ形カーブをした端部は実際には平面の外側に突き出して、追加の装飾的効果を提供する。形状は非対称的形状、蛇行形状、ねじれ形状、または他の形状であってよいことも考慮される。
【００３６】
図１５Ｂは、図１５Ａに記載した例示的なブレスレットの平面図１５１０である。この図はさらにＪ形カーブ１５０４の外形も示しているが、これは以下に詳しく説明するように、装飾的アクセントの機能と、開いたＳ字形フック姿勢における下側フックの両方の働きをすると見なすことができる。
【００３７】
図１５Ｃは、図１５Ａに記載した例示的なブレスレットの側面図１５２０である。ここでは下側部分１５２２と上側部分１５２４（ここでは上側と下側は図１６の開いた姿勢によって規定されている）が回転継手１５０６で連結されている。上側部分１５２４の自由端１５２８と、下側部分１５２２のＪ形カーブ１５０４との間にはギャップ１５２６があって、両端部がスムーズに完全な円運動をするのを機能的に許容する。
【００３８】
図１５Ｄは、図１５Ａに記載した例示的なブレスレットの端面図である。端面キャップ１５３２および１５３４が回転継手アセンブリの進入凹部を覆っている（以下により詳しく説明する）。
【００３９】
図１６は、図１５Ａに記載した例示的なブレスレットの開いたＳ字形フック姿勢１６００における側面図である。使用者はブレスレット１５０２の本体を自分の体から取り外し、両手で上側部分１５２４と下側部分１５２２に均等なねじり力を加えて、回転継手機構がブレスレット１５０２の本体を開いたＳ字形フック姿勢１６００でロックするまで、回転継手１５０６を中心に回転させる。このときクリップおよびフックは上述したように、バッグおよび手提げ／肩掛けアイテムを吊り下げるのを容易にするように構成される。
【００４０】
回転継手機構アセンブリ１７０２は図１７に断面図１７００で示されている。例示的なブレスレットの回転継手機構アセンブリ１７０２の機能は、図７で述べた機構と同様である。下側部分１５２２は回転継手１５０６で上側部分１５２４に連結されている。それぞれの部分１５２２および１５２４の向き合う継手端部１７０４と１７０６は、１対の割出しインサート１７０８および１７１０の各々を固定するように整合されている。インサート１７０８および１７１０は互いに係合するように整合されている。インサート５１０は半径方向に配置された１対の雄形楔（突出部）を上記７１０と同様に含み、反対側のインサート１７１２は対向する１対の雌形溝（戻り止め）を上記７２０と同様に含んでいる。この実施態様では、向き合う継手端部１７０４と１７０６は円筒ポケット、それぞれ１７１２および１７１４を含んでいる。この実施態様ではポケット１７１２の内径ＥＥは約８〜９ミリメートルである。この実施態様ではポケット１７１４の内径ＦＦは約８〜９ミリメートルである。インサート１７０８、１７１０は、わずかな長手方向／半径方向の遊びで向き合う継手端部１７０４、１７０６内に刻み込まれた溝、それぞれ１７１６および１７１８に着座している。これによりインサート１７０８、１７１０はそれぞれの継手端部１７０４、１７０６と係合して、それぞれの部分１５２２および１５２４に対して相対的に回転するのを制限する。こうして使用者が部分１５２２を回転継手１５０６中心に部分１５２４に対して回転させると、インサート１７０８、１７１０は同様に互いに対して回転する。
【００４１】
インサート１７０８の突出部もしくは楔は上記７１０と同様に機能し、これと合致するインサート１７１０の戻り止めもしくは溝は、上記７２０と同様に機能し、それぞれ外方と内方に約０．３〜０．４ミリメートル突出している。各インサートの全体的な深さは約１〜３ミリメートルである。この寸法は極めて可変である。インサート１７０８、１７１０は、楔が雌形／溝インサートの表面を擦り、また雌形インサートの外面がそれぞれ継手端部１７０４、１７０６を擦ることによって生み出される摩擦と摩耗を低減できる耐久性材料から作られている。この材料は、ポリオキシメチレン（ＰＯＭ）など高性能ポリマーであってよい。他の材料も明確に考慮される。代替的な実施態様においてインサート１７０８および１７１０に対して多様な幾何学形状を使用できる。代替的な実施態様では、雄形および雌形割出し要素は図示された角型形状を呈する代わりに、丸みを帯びることができる（例えば図８参照）。
【００４２】
継手端部１７０４および１７０６と隣接する各自由端１５２２、１５２４の外壁は、それぞれ外方に面している１対の同心的ポケット１７１２、１７１４を規定する。ポケット１７１２、１７１４は継手のばね軸アセンブリを挿入できる貫通孔を提供する。この実施態様では継手の軸は、細長い円筒形胴部１７２２、直径が等しい端部１７２４、および直径がより大きい頭部１７２６を有する機械加工された軸シャフトピン１７２０である。この実施態様では一連のカップ状の鋼製皿ワッシャー１７３０がばねアセンブリを提供する。代替的な実施態様において慣用的な圧縮コイルばねを（他のタイプのばねと並んで）採用できることに留意されたい。ワッシャー１７３０は同心的ポケット１７１２、１７１４のそれぞれの内壁のそれぞれの内壁１７３２に着座している。ワッシャー１７３０はワッシャー１７３４を保持することにより所定の場所に維持される。ワッシャー１７３０は軸シャフトピン１７２０の円筒シャフト１７４０部分の周りに嵌め込まれている。図示されているように、ワッシャー１７３０は互いに向き合ってカップ状になるように向けられており、それによって図示されているように２個の離散的な圧縮ばね部材を提供する。
【００４３】
この実施態様では、このばね形状を作り出すために６個のワッシャーが採用されている。ワッシャーはシャフトピン１７２０の各側に配設されている。これによってより多くのワッシャーを採用しながら、より低い外形が可能となる。さらにピンは軸方向運動において十分な遊びを提供でき、その端部１７２４（頭部なし）が組立時にそれぞれの同心的ポケットから十分駆り立てられることにより、ロッキングワッシャー（例えば以下に記載するサークリップ１７４２）を適用できるようにする。代替的な実施態様において、異なるばね力を生み出すために、ワッシャーの数をワッシャーの厚さおよび／またはばね定数と共に変えることができる。軸シャフトピンの頭部１７２６は直径がワッシャー１７３０の内径よりわずかに大きく、これにより頭部１７２６はワッシャー１７３０をポケット１７１２内の継手端部１７０４の内壁１７３２に対して保持することが可能である。軸シャフトピン１７２０の端部１７２４は、取外し可能なロッキングワッシャー１７４２（または他の軸方向にロックする構造）と適合する方形溝１７４４が刻まれており、皿ワッシャーをポケット１７１２内の継手端部１７０４の内壁１７３２に保持する。ロッキングワッシャー１７４２とワッシャー１７３０の応力を組み合わせることにより、２個の継手端部１７０４と１７０６との間に残るギャップ１７５０を設定および維持するのを助ける。ワッシャー１７３０は組み立てられるとばね圧縮されて継手を維持する。しかしながらワッシャーを圧縮する十分な余地がまだあるので、インサート１７０８、１７１０のインサート楔は戻り止め受け口と相応に相互作用（相互係合）して、１つの位置に着座した後、反対側の座に移行する。ギャップ１７５０は比較的小さく、自由端１５２２と１５２４の間の遊びを防ぐ。例示的な実施態様において、軸シャフトピン１７２０は低摩擦表面仕上げ（例えばニッケルめっき）を施した鋼などの硬質金属から作られている。軸シャフトピン１７２０の直径は約３〜５ミリメートルであってもよい。
【００４４】
ポケット１７１２、１７１４はそれぞれプレス嵌めプラグ１５３２、１５３４によって蓋される。プラグ１５３２、１５３４は、それぞれ包囲する自由端１５２２、１５２４の輪郭面と合致する外側キャップ面１７５２、１７５４を含んでいる。このようにすると、各キャップ面１７５２、１７５４に適切な表面被覆またはめっきを提供でき、包囲する表面仕上げと視覚的に調和する。一実施態様において、プラグ１５３２、１５３４はＡＢＳプラスチックから作られている。これらはそれぞれのポケット内に摩擦嵌めおよび／または適切な接着剤で固定できる。
【００４５】
操作時に、２個の部分１５２２、１５２４に十分な回転トルクを加えて部分１５２２とそのインサート１７０８を部分１５２４とインサート１７１０に対して回転させると、それぞれの楔（図示せず）は戻り止め受け口（図示せず）を越え出て、それにより軸シャフトピン１７２０を矢印１７６０の方向に動かす。この運動はばねワッシャー１７３０の圧縮を引き起こす。それぞれの楔はインサート１７１０の中間の溝のない平坦面に沿って滑動して、上記図６と同様の要領で再び溝構成に行き着く。このとき両部分は最初の位置から１８０度回転している。ワッシャーのばね偏倚によりそれぞれの楔は溝内に押し入れられて、回転継手１５０６により多くの回転トルクが加えられるまでそこに保持される。
【００４６】
クリップおよびフックの代替的な実施態様において、図１８はプラスチック材料、例えば高性能ポリマーから作られたクリップ１８００を示している。例示的なクリップはハート形であり、上側部分１８０２、下側部分１８０４および回転継手アセンブリ１８０６からなる。例示的なクリップ１８００は上記図１のクリップと同一の仕方で回転的に機能するが、回転継手アセンブリ１８０６は以下に詳しく説明するように構造が単純化されている。クリップ１８００は部品がより少なく製造工程も少ないのでコストが低くなる。クリップ材料もポリマーと金属または他の所望の材料を組み合わせることができる。
【００４７】
図１８のハート形クリップは図１９に分解図１９００で示されている。部分１８０２、１８０４のそれぞれの自由端１８１０、１８２０は、それぞれ弾性チップ１８１６、１８２６の各々にキー構造１８１４、１８２４を受容するキー溝１８１２、１８１４を含んでいる。チップを形成するための許容可能な材料は、熱可塑性エラスタマーＴＰＥである。他の材料も明確に考慮される。チップのサイズおよび形状は極めて可変であり、代替的な実施態様ではより長い延長部を規定できる。回転継手アセンブリ１８０６は、部分１８０４の継手端部１８４０から形成された軸シャフトアセンブリ１８３０を有する。代替的な実施態様において軸シャフトアセンブリ１８３０は、部分１８０４の継手端部１８４０に挿入されて固定され別個の部材であってもよい。軸シャフトアセンブリ１８３０は２個の一体的な突起１８３２からなり、その各々はそれぞれの部分と共通に形成された直線状の頚部１８３４と角度のある頭部１８３６とを有する半円筒を規定する。部分１８０２の継手端部１８４２は、凹部１８５２につながる貫通孔である凹部開口１８５０を備えている。凹部１８５０の内側の特徴については以下に詳しく説明する。継手端部１８４２は以下に詳しく説明する楔１８５４を備えている。プラグインサート１８５６は上記１５３４と同様の機能を有し、凹部１８５２を覆う。
【００４８】
図２０は、図１８に示すハート形クリップの回転継手の詳細図２０００である。部分１８０２の継手端部１８４２は、２個の突き出した楔１８５４を付けた平坦面２００２を有している。楔１８５４は傾斜した側面２０１２と平坦な頂部２０１４を有する。楔１８５４は直径方向で互いに反対側にあり、平坦な頂部２０１４の間に１８０度のアーチを提供する。継手端部１８４２の中心部は貫通孔である凹部開口１８５０を有しており、その後部はプラグ１８５６で覆われている。部分１８０４は、２個の受け口２０２２のある平坦面１９２０を備えた継手端部１８４０を有する。これらの受け口２０２２は楔１８５４と合致する戻り止めであり、楔１８５４が受け口２０２２内に着座してクリップの部分１８０２、１８０４の位置姿勢を固定する。継手端部１８４０の中心部は２個の突起１８３２からなる軸シャフトアセンブリ１８３０を規定する。各突起１８３２は、円筒形頚部１８３４と、直径方向に拡張されて平坦な端部２０３０を付けた円錐形頭部１８３６とを有する半円筒を規定する。突起１８３２は平坦な内側面２０３２で所定の最大幅（休止状態）の楔形の裂け目を規定する。突起１８３２は端部２０３０における突起１８３２間の距離ＤＯがギャップ２０３４の底部の距離ＤＩより大きくなるように構成されたギャップ２０３４を有している。
【００４９】
図２１は回転継手１８０６の断面図２１００である。部分１８０４の継手端部１８４４は部分１８０２の継手端部１８４２と係合している。戻り止め受け口２０２２内に着座してクリップ姿勢位置をロックする楔１８５４は図示されていない。２個の突起１８３４が凹部１８５２内に着座している。ギャップ２０３４は上述したように突起端部２０３０で広くなっている。組立時に部分１８０４が軸方向に部分１８０２内に押し入れられると、突起１８３４は互いに圧縮されてギャップ２０３４を狭める。突起１８３４が凹部開口１８５０を通過した後、凹部開口１８５０の壁２１０４が突起１８３４を圧縮下で保持する。突起１８３４は半径方向外側で壁２１０４に当接して応力嵌めを生み出す。この応力下で突起１８３４の傾斜した後部壁２１０８は壁２１０４の傾斜した内側壁２１０６と圧力係合し、それにより２個の部分１８０２、１８０４を互いに軸方向に駆り立てる（傾斜面が半径方向ベクトルを軸方向力ベクトルに転換する）。これは部分１８０２、１８０４が分離するのを妨げ、連結線に軸方向応力を生み出して回転継手１８０６をロックされた位置に保持する。使用者が均等なねじり力を加えると、軸方向応力が一部克服されて図２０に示された楔１８５４の傾斜壁２０１２は戻り止め受け口２０２２の傾斜壁に乗り上げ、それによりクリップを現在のロック位置から取り出して、別の１８０度ロック位置への運動を促進する。突起１８３４は圧縮下で凹部１８５２内に留まり、ねじり回転の間、回転継手１８０６の完全性を維持する。
【００５０】
突出部および関連する内側壁の断面形状は、組立時に２個の構成要素が互いに挿入されたら軸方向に抜け出るのを妨げるように作用する追加の環状構成（図示せず）を含むことができる。すなわち、この構成は操作時に楔と戻り止め受け口が互いに通過するのに必要な距離を越えて軸方向に抜け出るのを制限する肩部を提供できる。
【００５１】
図２２Ａ〜図２２Ｆは、クリップ・フック構造の代替的な形状である。図２２Ａは、回転継手２２０２を備えた角のあるＧ字形クリップ２２０１を閉じた姿勢２２００と開いた姿勢２２１０で示しており、ねじり運動によりハンドバッグおよび／または他の物品を面から吊り下げるための開いた姿勢２２１０で角のあるＳ字形フックにすることができる。
【００５２】
図２２Ｂは、回転継手２２２２を備えた丸みのあるＧ字形クリップ２２２１を閉じた姿勢２２２０と開いた姿勢２２３０で示しており、同様にハンドバッグおよび／または他の物品を面から吊り下げるために、ねじり運動により開いた姿勢２２３０でＳ字形フックにすることができる。
【００５３】
図２２Ｃは、回転継手２２４２を備えたＯ字形クリップ２２４１を閉じた姿勢２２４０と開いた姿勢２２５０で示しており、ねじり運動によりハンドバッグおよび／または他の物品を面から吊り下げるための開いた姿勢２２５０でＳ字形フックにすることができる。Ｏ字形クリップ２２４１は部分２２４４と２２４６のオーバーラップ部２２４２をそれらの自由端に隣接して規定する。このオーバーラップ部２２４２は回転継手２２４２の楔と戻り止め受け口（図示せず）とが回転偏位するので、図示された閉じた姿勢において両部分は非共平面姿勢にある。代替として両部分は、継手が閉じた姿勢でロックされたとき、少なくとも自由端を互いに対して非共平面位置に置く屈曲部を備えて形成できる。この実施態様ではオーバーラップ部２２４２の故に部分２２４４、２２４６が完全に３６０度回転することは妨げられており、典型的に閉じた姿勢は可能な２様の回転のいずれかでロックされる。
【００５４】
図２２Ｄは、回転継手２２７２を備えたコイル状クリップ２２７１を閉じた姿勢２２７０と開いた姿勢２２７５で示しており、ねじり運動によりハンドバッグおよび／または他の物品を面から吊り下げるための開いた姿勢２２７５でＳ字形フックにすることができる。閉じた姿勢においてコイルは部分２２７６、２２７８のコイル状クリップ２２７１に対してオーバーラップ部２２７４を規定し、部分２２７６、２２７８が完全に回転するのを許す。
【００５５】
図２２Ｅは、回転継手２２８２を備えたオーバーラップしたダイヤモンド形クリップ２２８１を閉じた姿勢２２８０と開いた姿勢２２８５で示しており、ねじり運動によりハンドバッグおよび／または他の物品を面から吊り下げるための開いた姿勢２２８５でＳ字形フックにすることができる。ダイヤモンド形クリップ２２８１は部分２２８６と２２８８のオーバーラップ部２２８４をそれらの自由端に隣接して規定する。このオーバーラップ部２２８４は回転継手２２４２の楔と戻り止め受け口（図示せず）が偏位していることを要する。オーバーラップ部２２８４の故に部分２２８６、２２８８が完全に回転することは可能ではない。
【００５６】
図２２Ｆは、回転継手２２９２を備えたオーバーラップした涙形クリップ２２９０を閉じた姿勢２２９０と開いた姿勢２２９５で示しており、ねじり運動によりハンドバッグおよび／または他の物品を面から吊り下げるための開いた姿勢２２９５で角のあるフック（例えばＳ字形フック）にすることができる。ダイヤモンド形クリップ２２９１は部分２２９６と２２９８のオーバーラップ部２２９４をそれらの自由端に隣接して規定する。このオーバーラップ部２２９４の故に部分２２９６、２２９８が完全に回転することは可能ではない。
【００５７】
上述した実施態様は、互いに係合する戻り止め受け口と隆起した楔からなる割出しアセンブリを備えた継手を含んでいるが、反対側の継手の係合要素は代替的な機構で構成できることが明確に考慮される。説明のための実施態様において、継手の各半部は向き合う磁石または磁性材料（例えば楔および戻り止めと同じ位置に配置されて対向する継手面の各々に埋設）。磁石は連結された部品を、部品に十分な回転トルクを加えることにより選択的に提供され得る（少なくとも）２つの反対の位置のいずれかに移動可能にロックする（またはねじり拘束する）。「割出しアセンブリ」という用語は、そのような磁石および等効のロック機構を含むものとして広く解されるべきである。例えば、継手の各面に埋設されたばね負荷されたボールと戻り止めシステムは、そのような等効の割出し機構である。
【００５８】
本発明の種々異なる実施態様のフックとクリップを組み合わせたアセンブリが極めて有用であり、しかも男性にも女性にも使用できる美観的にも快い装置であることは明白であろう。これは多様でユニークな形状およびデザインを備え、多様な材料または材料の組合せから作ることができる。
【００５９】
以上、本発明の例示的な実施態様について詳細に説明した。本発明の精神と範囲から逸脱することなく様々な変容または追加を行うことができる。上述した各々の実施態様は他の実施態様と組み合わせて多様な特徴を提供することができる。さらに、以上に本発明の装置と方法の多数の実施態様を個別に記載したが、これは本発明の原理の応用を単に例示的に述べたものに過ぎない。例えばフックまたはブレスレットによって規定される形状は、特定の機能を満足し、ユニークな美的特徴を提供する多数の追加の曲線や角を含むことができる。同様に、回転継手において１８０度の割出し機構が提供されているが、直径方向で反対の複数対の突出部と戻り止めを用いて説明された１８０度姿勢に加えて、両部分を他の姿勢に適切に割り出すために追加の戻り止めおよび／または楔が提供され得ることが考慮される。さらに、記載されたいずれの実施態様も互いに反対側の楔と戻り止めを含み、継手の向き合う各面に少なくとも１個の楔および少なくとも１個の戻り止めを備えることができる。同様に、この実施態様では回転継手はねじ軸とばねワッシャーを用いて構成されているが、１対の向き合う戻り止め部片が互いに向かって付勢されるようにする多様な機構を採用できる。そのうえ、さらに、本発明の回転継手では楔、半球体、戻り止めおよび溝に対してインサートが使用されるが、代替的な実施態様ではそのような部材は両部分の２つの対向する端部の表面に直接形成できる。この場合、ばね機構はインサートを介することなく直接両部分間に適用される。ここで用いられている「インサート」という用語は、広く各クリップ部分の継手端部のそのような直接対向する表面構成を含めて解されるべきである。さらに、対向する突出部と戻り止めに基づく割出し機構が示されているが、他の多様な割出し機構、例えばばね負荷されたボール、および一方のクリップ部分に設けられた外側円筒と他方のクリップ部分に嵌め込まれた同心的な内側円との間に配置された戻り止め構造も明確に考慮される。また、全体構造は基本的に開いた姿勢と閉じた姿勢を可能にする部品を規定する多数の継手を含むことができる（例えば一方の部分は複数の回転継手を有する部分を含むことができる）ことも考慮される。したがって、上記の説明は単に例示に過ぎず、本発明の範囲を制限するものと解されてはならない。
以下に請求項を添付する。
【図１】
0005602744.tif 000002
【図２】
0005602744.tif 000003
【図３】
0005602744.tif 000004
【図４】
0005602744.tif 000005
【図５】
0005602744.tif 000006
【図６】
0005602744.tif 000007
【図７】
0005602744.tif 000008
【図８】
0005602744.tif 000009
【図９】
0005602744.tif 000010
【図１０】
0005602744.tif 000011
【図１１】
0005602744.tif 000012
【図１２】
0005602744.tif 000013
【図１３】
0005602744.tif 000014
【図１４】
0005602744.tif 000015
【図１５Ａ】
0005602744.tif 000016
【図１５Ｂ】
0005602744.tif 000017
【図１５Ｃ】
0005602744.tif 000018
【図１５Ｄ】
0005602744.tif 000019
【図１６】
0005602744.tif 000020
【図１７】
0005602744.tif 000021
【図１８】
0005602744.tif 000022
【図１９】
0005602744.tif 000023
【図２０】
0005602744.tif 000024
【図２１】
0005602744.tif 000025
【図２２Ａ】
0005602744.tif 000026
【図２２Ｂ】
0005602744.tif 000027
【図２２Ｃ】
0005602744.tif 000028
【図２２Ｄ】
0005602744.tif 000029
【図２２Ｅ】
0005602744.tif 000030
【図２２Ｆ】
0005602744.tif 000031